(57)【特許請求の範囲】
【請求項１】
電池情報を保持するマイコンを内蔵した複数の電池パックを制御するマイコン内蔵電池パックの制御装置において、
マイコン内蔵電池パックの過放電状態を検知する過放電検知手段と、
前記過放電検知手段が過放電状態を検知したマイコン内蔵電池パックのマイコンが保持する電池情報が必要な場合にのみ、他の過放電状態でないマイコン内蔵電池パックから当該過放電状態のマイコン内蔵電池パックのマイコンに電力を供給する過放電時電力供給手段と
を有するマイコン内蔵電池パックの制御装置。
【請求項２】
電池情報を保持するマイコンを内蔵した複数の電池パックを制御するマイコン内蔵電池パックの制御方法において、
マイコン内蔵電池パックの過放電状態を検知する過放電検知手順と、
前記過放電検知手順で過放電状態を検知したマイコン内蔵電池パックのマイコンが保持する電池情報が必要な場合にのみ、他の過放電状態でないマイコン内蔵電池パックから当該過放電状態のマイコン内蔵電池パックのマイコンに電力を供給する過放電時電力供給手順と
を有するマイコン内蔵電池パックの制御方法。
【発明の詳細な説明】
【０００１】
【発明の属する技術分野】
本発明は複数のマイコン内蔵電池パックを有する情報処理装置において、過放電状態にある電池パックに内蔵されたマイコンから電池情報を入手することが出来るマイコン内蔵電池パックの制御装置および方法に関するものである。
【０００２】
【従来の技術】
従来の２次電池パックには、負荷（本体）側で充放電制御や予想動作時間等の計算に必要となる設計容量や残容量等をカウントして保持するマイコンを内蔵するものがあった。
【０００３】
図２に、従来のマイコン内蔵２次電池パックを２個有する情報処理装置における放電制御部の回路図を示す。
【０００４】
図２において、２３および２４はマイコン２１および２２を内蔵する２次電池パック、２９は２次電池パック２３および２４から電力の供給を受ける負荷、２５および２６は２次電池パック２３および２４の放電を制御する為の放電用スイッチ、２７および２８は負荷２９から２次電池パック２３および２４へ電流が逆流するのを防止するため放電時逆流防止ダイオード、３０は２次電池パック２３および２４が内蔵するマイコン２１および２２から電池情報を読み取り、その情報をもとに電池の放電制御のために放電用スイッチ２５および２６を制御する負荷側制御部である。
【０００５】
次に、図２を用いて従来の２次電池パックの放電制御について説明する。
【０００６】
２次電池パック２３および２４が共に充電されている場合、負荷側制御部３０は放電用スイッチ２５をＯＮ、放電用スイッチ２６をＯＦＦして、２次電池パック２３から放電して負荷２９に電力を供給する。この際、放電時逆流防止ダイオード２７は負荷２９や２次電池パック２４から２次電池パック２３への電流の逆流を防止する。
【０００７】
２次電池パック２３の放電中に、負荷側制御部３０は２次電池パック２３が内蔵するマイコン２１から電池残量や設計容量、電圧、電流、温度等の電池情報を読み取り、２次電池パック２３の電池残量が基準値以下になったことが分かると、放電用スイッチ２５をＯＦＦ、放電用スイッチ２６をＯＮすることで２次電池パック２４から放電して負荷２９に電力を供給する。この際、放電時逆流防止ダイオード２８は負荷２９や２次電池パック２３から２次電池パック２４への電流の逆流を防止する。
【０００８】
【発明が解決しようとする課題】
しかしながら、従来の電池パックの放電制御では、複数個の電池パックのいずれか１つが過放電状態になった場合に、電池パックが内蔵するマイコンに電力が供給されず、電池パックの電池情報を負荷が入手することが出来なくなる。そのため、電池パックの設計容量等の情報を読むことができず、充電時間や電池動作時間を予想することが出来ないといった問題点があった。
【０００９】
本発明は、過放電状態にある電池パックに対しても内蔵マイコンから電池情報を入手して、充電時間や電池動作時間を予想することが出来るマイコン内蔵電池パックの制御装置および方法を提供することを目的とする。
【００１０】
【課題を解決するための手段】
上記課題を解決するために、本発明のマイコン内蔵電池パックの制御装置および方法では、過放電状態にある電池パックのマイコンが保持する電池情報が必要な場合にのみ、過放電状態にない電池パックから過放電状態にある電池パックの内蔵マイコンに電力が供給するようにした。これによって、過放電状態にある電池パックに対しても、電池情報を入手して充電時間や電池動作時間の予想を行なうことが出来る。
【００１１】
【発明の実施の形態】
以下に、図１を用いて本発明の実施の形態を説明する。
【００１２】
（実施の形態１）
図１は、本実施の形態に係るマイコン内蔵２次電池パックを２個有する情報処理装置における放電制御部の回路図である。
【００１３】
３および４はマイコン１および２を内蔵する２次電池パック、９は２次電池パック３および４から電力の供給を受ける負荷、５および６は２次電池パック３および４の放電を制御する為の放電用スイッチ、７および８は負荷９から２次電池パック３および４へ電流が逆流するのを防止するための放電時逆流防止ダイオード、１０は２次電池パック３の過放電時に負荷９が充電制御のためにマイコン１から電池情報を入手できるように２次電池パック４からマイコン１へ電力を供給するための過放電時充電用スイッチ、１２は２次電池パック３から負荷９や２次電池パック４に電流が逆流するのを防止するための過放電充電時逆流防止ダイオード、同様に、１１は２次電池パック４の過放電時に負荷９が充電制御のためにマイコン２から電池情報を入手できるように２次電池パック３からマイコン２へ電力を供給するための過放電時充電用スイッチ、１３は２次電池パック４から負荷９や２次電池パック３に電流が逆流するのを防止するための過放電充電時逆流防止ダイオード、１４は過放電充電時に負荷９から２次電池パック３または４に流れる電流を制御するための過放電時充電用電流制限抵抗、１５は２次電池パック３および４が内蔵するマイコン１および２から電池情報を読み取って充放電制御するために放電用スイッチ５および６と過放電時充電用スイッチ１０および１１を制御する負荷側制御部である。
【００１４】
次に、図１を用いて本実施の形態における２次電池パックの充放電制御について説明する。
【００１５】
２次電池パック３および４が共に充電されている場合、負荷側制御部１５は放電用スイッチ５をＯＮ、放電用スイッチ６をＯＦＦして、２次電池パック３から放電して負荷９に電力を供給する。この際、放電時逆流防止ダイオード７は負荷９や２次電池パック４から２次電池パック３への電流の逆流を防止する。
【００１６】
２次電池パック３の放電中に、負荷側制御部１５は２次電池パック３が内蔵するマイコン１から電池残量や設計容量、電圧、電流、温度等の電池情報を読み取り、２次電池パック３の電池残量が基準値以下になったことが分かると、放電用スイッチ５をＯＦＦ、放電用スイッチ６をＯＮすることで２次電池パック４から放電して負荷９に電力を供給する。この際、放電時逆流防止ダイオード８は負荷９や２次電池パック３から２次電池パック４への電流の逆流を防止する。
【００１７】
以上のように、放電制御については従来例と同じである。
【００１８】
次に、２次電池パック３が過放電状態にある場合の充電制御について説明する。
【００１９】
負荷側制御部１５は、放電用スイッチ５をＯＦＦ、放電用スイッチ６をＯＮし、過放電時充電用スイッチ１０をＯＮ、過放電時充電用スイッチ１１をＯＦＦして２次電池パック４から過放電時充電用電流制限抵抗１４により電流制限された微弱な電流を過放電状態にある２次電池パック３のマイコン１に供給する。これによって、負荷側制御部１５は２次電池パック３のマイコン１から電池残量や設計容量、電圧、電流、温度等の電池情報を読み取ることができ、過放電状態にある電池パック３に対する充電時間や電池動作時間を予想することが出来る。なお、過放電充電時逆流防止ダイオード１２は２次電池パック３から過放電時充電用電流制限抵抗１４を通して負荷９または２次電池パック４へ電流が逆流することを防止する。
【００２０】
なお、２次電池パック４が過放電状態にある場合の充電制御については、２次電池パック３が過放電状態にある場合と同様である。
【００２１】
また、過放電状態にある２次電池パックに対する充電時間や電池動作時間の予想にあたって、電池情報の読み取り時のみ過放電状態にある２次電池パック側の過放電時充電用スイッチをＯＮすることで、過放電状態にない２次電池パックから過放電状態にある２次電池パックへの電力供給を最小限に抑えることが出来る。
【００２２】
【発明の効果】
以上詳述したように本発明によれば、複数のマイコン内蔵電池パックを有する情報処理装置において、過放電状態にないマイコン内蔵電池パックから過放電状態にあるマイコン内蔵電池パックの内蔵マイコンに電力供給することで、過放電状態にあるマイコン内蔵電池パックに対しても電池情報を入手して充電時間や電池動作時間を予想することが出来る。
【図面の簡単な説明】
【図１】本実施の形態に係るマイコン内蔵２次電池パックを２個有する情報処理装置における放電制御部の回路図
【図２】従来のマイコン内蔵２次電池パックを２個有する情報処理装置における放電制御部の回路図
【符号の説明】
１、２  マイコン
３、４  ２次電池パック
５、６  放電用スイッチ
７、８  放電時逆流防止ダイオード
９  負荷
１０、１１  過放電時充電用スイッチ
１２、１３  過放電充電時逆流防止ダイオード
１４  過放電時充電用電流制限抵抗
１５  負荷側制御部
２１、２２  マイコン
２３、２４  ２次電池パック
２５、２６  放電用スイッチ
２７、２８  放電時逆流防止ダイオード
２９  負荷
３０  負荷側制御部
【図１】
0003812210.tif 000002
【図２】
0003812210.tif 000003